(57)【要約】【課題】薄膜化、軽量化及びフレキシブル化を維持しながら、外光反射を防止することを目的とする。【解決手段】表示装置１００は、発光層５４並びに発光層５４を挟む陽極及び陰極を含む発光素子５８と、発光素子５８を封止する封止層６０と、を有する。封止層６０は、有機層６２と、有機層６２を上下で挟む第１無機層６４及び第２無機層６６と、を含む。有機層６２は、円偏光機能を有するコレステリック液晶層である。【選択図】図３
2017152257.tif 000002
【特許請求の範囲】
【請求項１】
発光層並びに前記発光層を挟む陽極及び陰極を含む発光素子と、
前記発光素子を封止する封止層と、
を有し、
前記封止層は、有機層と、前記有機層を上下で挟む第１無機層及び第２無機層と、を含み、
前記有機層は、円偏光機能を有するコレステリック液晶層であることを特徴とする表示装置。
【発明の詳細な説明】
【技術分野】
【０００１】
本発明は、表示装置に関する。
【背景技術】
【０００２】
有機エレクトロルミネッセンス層などの発光素子層は、吸湿によって劣化するため、大気から遮断するために封止膜で覆われている。例えば、樹脂からなる有機膜を無機膜でサンドイッチして無機膜のピンホールを埋める多層構造の封止膜が知られている。封止膜には、外光反射を防止するために偏光板が貼り付けられる。
【先行技術文献】
【特許文献】
【０００３】
【特許文献１】特開２０１０−８０８８０号公報
【特許文献２】特開２０００−１１３９８８号公報
【特許文献３】特開平９−２４４０６１号公報
【特許文献４】特開２００５−１７４６０５号公報
【特許文献５】特開２００５−１３５８１２号公報
【特許文献６】特開２００３−１６３０８７号公報
【特許文献７】特開２００１−２４４０８０号公報
【発明の概要】
【発明が解決しようとする課題】
【０００４】
特許文献１には、配向性を有する発光高分子材料を用いて偏光発光させることが開示されている。特許文献２には、有機エレクトロルミネッセンス素子上に液晶素子と位相差板を設けることで反射光を軽減することが開示されている。特許文献３には、有機エレクトロルミネッセンス素子の上に液晶表示素子を形成することが開示されているが、液晶表示素子は、画像表示のために駆動されるようになっている。特許文献４には、液晶性発光層によって偏光発光させることが開示されている。特許文献５には、有機エレクトロルミネッセンス素子上にλ／４板と偏光板とＴＮ（Twisted Nematic）方式の液晶と赤色カラー系偏光板を積層することが開示されている。液晶のＯＮ／ＯＦＦで表示色の切り替えを行い、λ／４板と偏光板で反射を抑制する。特許文献６には、発光層をねじれ構造にして円偏光させ、外側に円偏光板を設けることで、外光反射を抑制することが開示されている。特許文献７には、有機エレクトロルミネッセンス素子上にコレスティック液晶を成膜して反射を防止し、液晶を配向させるために液晶の上に配向膜を形成することが開示されている。
【０００５】
次世代のディスプレイとして、柔軟に変形させることができるフレキシブルディスプレイが注目されている。フレキシブルディスプレイは、偏光板が貼りつけられると、厚膜化し、重量が増加し、曲がりにくくなるという問題があった。
【０００６】
本発明は、薄膜化、軽量化及びフレキシブル化を維持しながら、外光反射を防止することを目的とする。
【課題を解決するための手段】
【０００７】
本発明に係る表示装置は、発光層並びに前記発光層を挟む陽極及び陰極を含む発光素子と、前記発光素子を封止する封止層と、を有し、前記封止層は、有機層と、前記有機層を上下で挟む第１無機層及び第２無機層と、を含み、前記有機層は、円偏光機能を有するコレステリック液晶層であることを特徴とする。本発明によれば、第１無機層及び第２無機層に挟まれる有機層が円偏光機能を有するので、偏光板を別途設ける必要がなく、薄膜化、軽量化及びフレキシブル化を維持しながら、外光反射を防止することができる。
【図面の簡単な説明】
【０００８】
【図１】本発明の実施形態に係る表示装置の平面図である。
【図２】図１に示す表示装置のII−II線断面図である。
【図３】図２に一点鎖線で囲む部分IIIの拡大図である。
【発明を実施するための形態】
【０００９】
以下、本発明の実施形態について図面を参照して説明する。但し、本発明は、その要旨を逸脱しない範囲において様々な態様で実施することができ、以下に例示する実施形態の記載内容に限定して解釈されるものではない。
【００１０】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１１】
さらに、本発明の詳細な説明において、ある構成物と他の構成物の位置関係を規定する際、「上に」「下に」とは、ある構成物の直上あるいは直下に位置する場合のみでなく、特に断りの無い限りは、間にさらに他の構成物を介在する場合を含むものとする。
【００１２】
図１は、本発明の実施形態に係る表示装置の平面図である。表示装置１００として、有機エレクトロルミネッセンス表示装置を例に挙げる。表示装置１００は、例えば、赤、緑及び青からなる複数色の単位画素（サブピクセル）を組み合わせて、フルカラーの画素（ピクセル）を形成し、フルカラーの画像を表示領域１０に表示するようになっている。
【００１３】
図２は、図１に示す表示装置１００のII−II線断面図である。表示装置１００は、屈曲して、屈曲の内側にスペーサ１２が配置されている。スペーサ１２は、表示装置１００の屈曲を規制するガイドになっている。表示装置１００には、集積回路チップ１４が搭載され、フレキシブル基板１６が接続されている。
【００１４】
図３は、図２に一点鎖線で囲む部分IIIの拡大図である。表示装置は、樹脂などの柔軟性を有する材料からなる第１基板２６を有する。第１基板２６は、図２に示す屈曲の内側に位置する。屈曲の内側において、表示装置１００の少なくとも表示領域１０の裏側には、第１基板２６に第１補強フィルム１８が貼りつけられている。また、図２に示すように、第１補強フィルム１８と対向するように、第２補強フィルム２０が貼りつけられ、第１補強フィルム１８及び第２補強フィルム２０は、粘着剤２４を介して貼り合わせられ、これにより、表示装置１００の屈曲状態が保持される。
【００１５】
図３に示すように、第１基板２６には、それ自体が含有する不純物に対するバリアとなるアンダーコート２８が形成され、その上に半導体層３０が形成されている。半導体層３０にソース電極３２及びドレイン電極３４が電気的に接続し、半導体層３０を覆ってゲート絶縁膜３６が形成されている。ゲート絶縁膜３６の上にはゲート電極３８が形成され、ゲート電極３８を覆って層間絶縁膜４０が形成されている。ソース電極３２及びドレイン電極３４は、ゲート絶縁膜３６及び層間絶縁膜４０を貫通している。半導体層３０、ソース電極３２、ドレイン電極３４及びゲート電極３８によって薄膜トランジスタ４２が構成される。薄膜トランジスタ４２を覆うようにパッシベーション膜４４が設けられている。
【００１６】
パッシベーション膜４４の上には、平坦化層４６が設けられている。平坦化層４６の上には、複数の単位画素それぞれに対応するように構成された複数の画素電極４８（例えば陽極）が設けられている。平坦化層４６は、少なくとも画素電極４８が設けられる面が平坦になるように形成される。画素電極４８は、平坦化層４６及びパッシベーション膜４４を貫通するコンタクトホール５０によって、半導体層３０上のソース電極３２及びドレイン電極３４の一方に電気的に接続している。
【００１７】
平坦化層４６及び画素電極４８上に、絶縁層５２が形成されている。絶縁層５２は、画素電極４８の周縁部に載り、画素電極４８の一部（例えば中央部）を開口させるように形成されている。絶縁層５２によって、画素電極４８の一部を囲むバンクが形成される。
【００１８】
画素電極４８上に発光層５４が設けられている。発光層５４は、画素電極４８ごとに別々に（分離して）設けられ、絶縁層５２にも載るようになっている。この場合は各画素に対応して青、赤、緑で発光層５４が発光するようになる。変形例として、発光層５４は、複数の画素電極４８に連続的に載るように設けて白色で発光するようにしてもよく、その場合はカラーフィルタを設ける。
【００１９】
発光層５４の上には、共通電極５６（例えば陰極）が設けられている。共通電極５６は、バンクとなる絶縁層５２の上方に載るように形成する。発光層５４並びに発光層５４を挟む画素電極４８（陽極）及び共通電極５６（陰極）から発光素子５８が構成される。発光層５４は、画素電極４８及び共通電極５６に挟まれ、両者間を流れる電流によって輝度が制御されて発光する。発光層５４と画素電極４８（陽極）との間には、図示しない正孔輸送層及び正孔注入層の少なくとも一層を設けてもよい。発光層５４と共通電極５６（陰極）との間には、図示しない電子輸送層及び電子注入層の少なくとも一層を設けてもよい。
【００２０】
発光素子５８は、共通電極５６に積層する封止層６０によって覆われることで封止されて、水分から遮断される。封止層６０は、有機層６２と、有機層６２を上下で挟む第１無機層６４及び第２無機層６６と、を含む。有機層６２は、円偏光機能を有するコレステリック液晶層である。コレステリック液晶層は、インクジェット法、スクリーン印刷又はフレキソ印刷などによって形成することができる。
【００２１】
本実施形態によれば、第１無機層６４及び第２無機層６６に挟まれる有機層６２が円偏光機能を有するので、偏光板を別途設ける必要がなく、薄膜化、軽量化及びフレキシブル化を維持しながら、外光反射を防止することができる。封止層６０には、粘着層６８を介して、樹脂などの柔軟性を有する材料からなる第２基板７０が貼り付けられている。表示装置１００の屈曲の表側で、第２基板７０には第３補強フィルム２２が貼りつけられている（図２参照）。
【００２２】
なお、表示装置１００は、有機エレクトロルミネッセンス表示装置には限定されず、量子ドット発光素子（ＱＬＥＤ：Quantum‐Dot Light Emitting Diode）のような発光素子を各画素に備えた表示装置であってもよいし、液晶表示装置であってもよい。
【００２３】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２４】
１０  表示領域、１２  スペーサ、１４  集積回路チップ、１６  フレキシブル基板、１８  第１補強フィルム、２０  第２補強フィルム、２２  第３補強フィルム、２４  粘着剤、２６  第１基板、２８  アンダーコート、３０  半導体層、３２  ソース電極、３４  ドレイン電極、３６  ゲート絶縁膜、３８  ゲート電極、４０  層間絶縁膜、４２  薄膜トランジスタ、４４  パッシベーション膜、４６  平坦化層、４８  画素電極、５０  コンタクトホール、５２  絶縁層、５４  発光層、５６  共通電極、５８  発光素子、６０  封止層、６２  有機層、６４  第１無機層、６６  第２無機層、６８  粘着層、７０  第２基板、１００  表示装置。
【図１】
2017152257.tif 000003
【図２】
2017152257.tif 000004
【図３】
2017152257.tif 000005